(57)【要約】【課題】　広い画角において明瞭に結像が可能であり、さらに、非常に小型軽量であるカメラのファインダー光学系等の結像光学系。【解決手段】　絞りＤを有し、物体像を形成する結像光学系ＤＳであり、少なくとも４つの面を持ち、少なくとも２面は有限の曲率半径を有する面であり、屈折面である第１面、偏心した正のパワーを有する反射面である第２面、偏心した反射面である第３面、屈折面である第４面によって形成される空間が屈折率が１より大きい媒質で満たされてなる偏心光学素子を含み、絞りＤから物体像に至るまでの主光線が、その偏心光学素子の内部において交差するように２つの反射面を配設し、かつ、その内部に像面を有さずに物体像を１次像として結像する結像光学系。【選択図】　　　　図１７
2004126613.tif 000002
【特許請求の範囲】
【請求項１】
絞りを有し、物体像を形成する結像光学系において、
　前記結像光学系は、少なくとも４つの面を持ち、それらの面を、前記絞りから前記物体像に至る光線追跡に従って光線が通過する順に、屈折面である第１面、前記第１面に対向し光軸に対して偏心した正のパワーを有する反射面である第２面、前記第２面に対向し前記第２面で反射後の光軸に対して偏心した反射面である第３面、前記物体像に最も近接している屈折面である第４面を有する偏心光学素子を含み、
　前記の少なくとも４つの面の中、少なくとも２面は有限の曲率半径を有する面であり、　前記の第１面から第４面によって形成される空間が屈折率が１より大きい媒質で満たされ、
　前記絞りから前記物体像に至るまでの主光線が、前記偏心光学素子の内部において交差するように前記２つの反射面を配設し、
　前記偏心光学素子内部に像面を有さずに前記物体像を１次像として結像するように形成されていることを特徴とする結像光学系。
【発明の詳細な説明】
【技術分野】
【０００１】
本発明は、結像光学系に関し、特に、カメラのファインダー光学系等の結像光学系に関する。
【背景技術】
【０００２】
　従来、頭部又は顔面装着式画像表示装置の周知なものとして、特開平３ー１０１７０９号のものがある。これは、図３０（ａ）に全体の光学系を、図３０（ｂ）にその接眼光学系の部分を示すように、画像表示素子の表示画像を正レンズよりなるリレー光学系にて空中像として伝達し、凹面反射鏡からなる接眼光学系でこの空中像を拡大して観察者の眼球内に投影するものである。
【０００３】
　また、従来の他のタイプのものとして、米国特許第４，６６９，８１０号のものがある。この装置は、図３１に示すように、ＣＲＴの画像をリレー光学系を介して中間像を形成し、反射ホログラフィック素子とホログラム面を有するコンバイナによって観察者の眼に投影するものである。
【０００４】
　また、従来の他のタイプの画像表示装置として、特開昭６２ー２１４７８２号のものがある。この装置は、図３２に示すように、画像表示素子を接眼レンズで拡大して直接観察できるようにしたものである。
【０００５】
　さらに、従来の他のタイプの画像表示装置として、米国特許第４，０２６，６４１号のものがある。この装置は、図３３に示すように、画像表示素子の像を伝達素子で湾曲した物体面に伝達し、その物体面をトーリック反射面で空中に投影するようにしたものである。
【０００６】
また、従来の他のタイプの画像表示素子として、特開平６ー２４２３９３号のものがある。この装置は、図３４に示すように、ディスプレイ源からの光束は第１反射鏡、第２反射鏡でそれぞれ反射し、４の字の形状の光路をたどって観察者の眼球に到達するようにしたものである。
【発明の開示】
【発明が解決しようとする課題】
【０００７】
　しかしながら、図３０、図３１ような画像表示素子の映像をリレーするタイプの画像表示装置では、接眼光学系の形式によらず、接眼光学系以外にリレー光学系として数枚のレンズを用いなければならないため、光路長が長く、光学系は大型になり、重量も重くなる。
【０００８】
また、図３０（ａ）の接眼光学系のみを用いる図３０（ｂ）の場合は、観察者に対して凹面を向けた反射面のみに正のパワーがあるため、図中Ｐ１で示されるような負の像面湾曲が大きく発生してしまう。
【０００９】
また、図３２のようなレイアウトでは、観察者の顔面からの装置突出量が大きくなってしまう。さらに、画像表示素子と照明光学系がその突出した部分に取り付けられることになり、装置はますます大きく、重量も重くなる。
【００１０】
　頭部装着式画像表示装置は、人間の身体、特に頭部に装着する装置であるため、装置が顔面から突出する量が大きいと、頭部で支持している点から装置の重心までの距離が長くなり、装着時のバランスが悪く、疲労が大きくなる。さらに、装置を装着して移動、回転等を行うときに、装置が物にぶつかるおそれも生じる。つまり、頭部装着式画像表示装置は小型軽量であることが重要である。そして、この装置の大きさ、重量を決定する大きな要因は、光学系の構成にある。
【００１１】
　しかしながら、接眼光学系として通常の拡大鏡のみを用いると、発生する収差は非常に大きく、それを補正する手段がない。拡大鏡の凹面の形状を非球面にすることで、ある程度球面収差が補正されても、コマ収差、像面湾曲等が残存するため、観察画角を大きくすると、実用的な装置にはなり得ない。あるいは、接眼光学系として凹面鏡のみを用いる場合には、通常の光学素子（レンズやミラー）のみではなく、図３３に示すように、発生した像面湾曲に合わせて湾曲した面を有する伝達素子（ファイバープレート）によってこれを補正するという手段を用いなければならない。
【００１２】
さらに、反射鏡２枚を図３４のような配置にした場合も、同様に、第２反射鏡の正のパワーのみで観察者の眼球に投影するために、他の面で補正することが困難な大きな負の像面湾曲が接眼光学系に発生してしまう。
【００１３】
　本発明は従来技術のこのような問題点に鑑みてなされたものであり、その目的は、広い画角において明瞭に結像が可能であり、さらに、非常に小型軽量であるカメラのファインダー光学系等の結像光学系を提供することである。
【課題を解決するための手段】
【００１４】
　上記目的を達成する本発明の結像光学系は、絞りを有し、物体像を形成する結像光学系において、
　前記結像光学系は、少なくとも４つの面を持ち、それらの面を、前記絞りから前記物体像に至る光線追跡に従って光線が通過する順に、屈折面である第１面、前記第１面に対向し光軸に対して偏心した正のパワーを有する反射面である第２面、前記第２面に対向し前記第２面で反射後の光軸に対して偏心した反射面である第３面、前記物体像に最も近接している屈折面である第４面を有する偏心光学素子を含み、
　前記の少なくとも４つの面の中、少なくとも２面は有限の曲率半径を有する面であり、　前記の第１面から第４面によって形成される空間が屈折率が１より大きい媒質で満たされ、
　前記絞りから前記物体像に至るまでの主光線が、前記偏心光学素子の内部において交差するように前記２つの反射面を配設し、
　前記偏心光学素子内部に像面を有さずに前記物体像を１次像として結像するように形成されていることを特徴とするものである。
【発明の効果】
【００１５】
　本発明の結像光学系によると、広い画角で、非常に小型軽量なカメラのファインダー光学系等の新規な結像光学系を提供することができる。
【発明を実施するための最良の形態】
【００１６】
以下に、まず、本発明の結像光学系の作用を画像表示装置に基づいて説明する。以下の説明においては、光学系の設計上の利便性から、観察者の瞳位置から画像表示素子に向けて光線を追跡する逆光線追跡によって行う。
【００１７】
　本発明においては、接眼光学系の第１面、第２面、第３面及び第４面によって形成される空間を屈折率が１より大きい媒質で満たし、さらに、４面の中、２面を有限の曲率半径を有するようにすることによって、偏心して傾いた第２面で発生する球面収差とコマ収差、及び、像面湾曲の補正を行うことが可能となり、広い射出瞳径と広い観察画角を持つ明瞭な観察像を観察者に提供することに成功したものである。
【００１８】
　一般に、凹面鏡では、凹面に強いパワーを持たせることで、ペッツバール和が大きくなり、正の像面湾曲を発生させることになる。また、強い内コマ収差が発生する。本発明では、第１面、第２面、第３面及び第４面によって形成される空間を屈折率が１より大きい媒質で満たし、さらに、４面の中、２面を有限の曲率を有するようにすることによって、第２面で発生する収差を補正することに成功したものである。
【００１９】
第２面の他に、第１面が有限の曲率半径を有する面の場合、第１面での光線の屈折作用を利用して、第２面に入射する光線高を低くすることが可能となる。この作用によって、第２面の凹面鏡で発生する強い内コマ収差の発生を比較的小さくすることができる。
【００２０】
第２面の他に、第３面が有限の曲率半径を有する面の場合、第２面で発生するコマ収差及び像面湾曲の補正に有効な手段となる。
【００２１】
第２面の他に、第４面が有限の曲率半径を有する面の場合、第４面に負のパワーを持たせることで、特に第２面で発生する像面湾曲を補正することが可能となる。
【００２２】
　また、観察者眼球から画像表示素子に至るまでの主光線が、接眼光学系の内部において交差しないように第２面、第３面の２つの反射面を配設することで、装置全体を小さくする効果が得られる。特に広画角を狙う場合、第２面と第３面の２つの反射面がほぼ平行に配備されているため、主光線が内部で交差する場合に比べて、素子を薄く構成でき、より軽量化を実現することができる。
【００２３】
さらに、画像表示素子の観察像をリレー光学系によって中間像として、空中に実像を結像させ、接眼光学系によって眼球に拡大投影するのではなく、画像表示素子をそのまま拡大して観察者の眼球に投影するようにすることによって、観察者は拡大された画像表示素子の画像を虚像として観察できるため、少ない光学素子で光学系を構成できる。また、構成する光学素子は、接眼光学系の反射面である第２面が観察者の顔面の直前に顔面のカーブに沿った形状で配備されるため、顔面からの突出量は非常に小さくでき、小型で軽量な画像表示装置を実現することができる。
【００２４】
また、第３面は第２面に対して凸面を向けた反射面であることが収差補正上有効である。第２面は接眼光学系全体の主な正のパワーを有する反射面であるため、上述したコマ収差の他に、像面湾曲も大きく発生している。第３面を負のパワーを持つ面とすることで、第２面で発生する内コマ収差とは逆のコマ収差をこの面で発生させ、コマ収差を補正させることが可能である。さらに、第２面で発生する正の像面湾曲に対して、第３面で負の像面湾曲を発生させて像面湾曲の補正も同時に行うことが可能となる。
【００２５】
また、接眼光学系の第１面、第２面、第３面及び第４面の何れか１面が偏心非球面であることが収差補正上有効である。
【００２６】
これは、後記する座標系で、Ｙ方向に偏心又は視軸から傾いて配置される第２面で発生するコマ収差、特に高次コマ収差やコマフレアーを補正するために重要な条件である。
【００２７】
本発明のように、観察者眼球の前方に偏心するかあるいは傾いた反射面を有するタイプの接眼光学系を用いる画像表示装置においては、観察者視上においても反射面に入射する光線が傾くため、コマ収差が発生する。このコマ収差は、反射面の傾き角が大きくなるに従って大きくなる。
【００２８】
　しかしながら、小型で広画角の画像表示装置を実現しようとすると、偏心量又は傾き角をある程度大きくしないと、画像表示素子と光路が干渉するため、広画角な観察像を確保することが困難になる。そのため、広画角で小型の画像表示装置になればなる程反射面の傾き角が大きくなり、高次コマ収差の発生をいかに補正するかが重要な問題となる。
【００２９】
このような複雑なコマ収差を補正するためには、接眼光学系を構成する第１、２、３、４面の何れか１面を偏心した非球面とすることで、光学系のパワーを視軸に対して非対称な構成にすることができ、さらに、軸外においては非球面の効果を利用することができるため、軸上を含めたコマ収差の補正を有効に行うことが可能となる。
【００３０】
　また、本発明においては、観察者視軸を原点から接眼光学系に向かう方向を正とするＺ軸、観察者視軸に直交する１つの軸をＹ軸、Ｚ軸とＹ軸に直交するもう１つの軸をＸ軸とすると、第２面のＹ−Ｚ面内における曲率半径をＲy2、第３面のＹ−Ｚ面内における曲率半径をＲy3とするとき、
０＜Ｒy3／Ｒy2＜４　　　　　　　　　　　　　　　　　　・・・（１）
を満足することが有用である。
【００３１】
　上記（１）式は、Ｙ方向に偏心又は傾いて配置される第２面で発生するコマ収差、特に高次コマ収差やコマフレアーを補正するために有効な条件である。反射面である第２面の傾き角、Ｙ方向の偏心量が大きいときは、この条件を満足することが重要となる。
【００３２】
　上述したように、本発明のような観察者眼球の前方に傾いた反射面を有するタイプの接眼光学系を用いる画像表示装置においては、広画角で小型の画像表示装置になればなる程反射面の傾き角が大きくなり、高次コマ収差の発生をいかに補正するかが重要な問題となる。第２面は接眼光学系全体の主な正のパワーを有する反射面であるため、この面で発生する収差の補正は、同じように屈折面よりパワーが大きくできる反射面である第３面において行なうことが有効に作用する。その場合、第２面と第３面のパワーの比が（１）式の条件を満たすことが重要となる。（１）式の上限の４を越えると、第３面のパワーが小さくなるため、上記の補正効果が十分得られなくなる。
【００３３】
　また、  接眼光学系の第１面、第２面、第３面及び第４面の何れか１面はアナモフィック面であることが重要である。つまり、Ｙ−Ｚ面内の曲率半径と、この面と直交するＸ−Ｚ面内の曲率半径が異なる面であることである。
【００３４】
この条件は、第２面が視軸に対して偏心あるいは傾いているために起こる収差を補正するための条件である。一般に、球面が偏心していると、その面に入射する光線は、入射面内と入射面に直交する面内で光線に対する曲率が異なる。このため、本発明のように、観察者眼球の前に反射面が視軸に対して偏心あるいは傾いて配置されている接眼光学系では、観察画像中心に当たる視軸上の観察像も上記理由により非点収差が発生する。この軸上の非点収差を補正するために、接眼光学系の第１面、第２面、第３面及び第４面の何れか１面の曲率半径は、入射面内とこれと直交する面内において異なるものとすることが重要になる。
【００３５】
　さらに、第２面のＹ−Ｚ面内における曲率半径をＲy2、第２面のＸ−Ｚ面内における曲率半径をＲx2とするとき、
Ｒy2／Ｒx2＞１　　　　　　　　　　　　　　　　　　　　・・・（２）
を満たすことが重要である。
【００３６】
（２）式は、第２面が視軸に対して傾いているために起こる収差、特に軸上を含む非点収差を補正するための条件である。一般的に、画角が大きくなると、高次の非点収差が現れ、凸レンズ系では、子午像は画角が大きくなると負の方向に大きくなり、球欠像は正の方向に大きくなる。これらの非点収差を補正するためには、子午面内のパワーを小さくし、球欠面内のパワーを大きくするような光学系の構成にすることが必要となる。したがって、１つの面における曲率半径では、Ｙ方向を大きく、Ｘ方向を小さくすることが必要になる。
【００３７】
本発明の接眼光学系において、主な正のパワーを持つ面は第２面の反射面であるため、他の面にＹ−Ｚ面内の曲率半径とＸ−Ｚ面内の曲率半径とに差を持たせるよりも、第２面を（２）の条件を満たすようにすることによって、非点収差補正の効果を大きく持たせることが可能となり、収差補正上より好ましい。
【００３８】
　また、接眼光学系の第１面及び第４面の何れか１面は、視軸に対してティルトあるいはディセンタリングしていることが望ましい。第１面及び第４面の何れか１面がティルトあるいはディセンタリングすることにより、視軸に対して画像表示素子側の画像とその反対側の画像で非対称に発生するコマ収差を補正することや、画像表示素子を配置する面を第２面での反射後の光軸に対してほぼ垂直に配置することが可能となる。これは、視野角特性の良くない画像表示素子を用いるときに有効となる。
【００３９】
また、本発明においては、接眼光学系の第２面と視軸のなす角をαとするとき、
　　３０°＜α＜８０°　　　　　　　　　　　　　　　　　　・・・（３）
であることが望ましい。
【００４０】
これは、本発明の画像表示装置が観察者の頭部と干渉しないための条件である。（３）式の下限の３０°を越えると、反射後の光線は視軸に対して９０°以上の反射角を持ってしまうため、画面の上と下の軸外光線の結像位置が非常に離れてしまい、現実的ではなくなる。逆に、上限の８０°を超えると、第２面で反射した光線がそのまま顔面方向に戻ってしまうため、画像表示装置と顔面が干渉してしまう。
【００４１】
　また、画像表示素子の表示面は視軸に対して傾いて配備されていることが重要である。光学素子を構成する屈折面あるいは反射面が偏心又は傾いている場合、瞳からの光線は屈折面あるいは反射面での屈折角又は反射角が像高によって異なり、像面が視軸に対して傾くことがある。その場合、画像表示素子面を視軸に対して傾いて配備することで、像面の傾きを補正することが可能となる。
【００４２】
　ところで、より広画角な小型の画像表示装置になればなる程、最初の反射面である第２面の傾き角が大きくなり、高次コマ収差の発生が増える。また、面の傾きによって発生する非点収差も増大するため、少なくとも４つの面を持ち、それらの面を、観察者眼球から画像表示素子に至る逆光線追跡に従って光線が通過する順に、屈折面である第１面、第１面に対向し観察者視軸に対して偏心した正のパワーを有する反射面である第２面、第２面に対向し第２面で反射後の観察者視軸に対して偏心した反射面である第３面、画像表示素子に最も近接している屈折面である第４面とした場合、その少なくとも４つの面の中、少なくとも２面は有限の曲率半径を有する面であり、第１面から第４面によって形成される空間が屈折率が１より大きい媒質で満たされてなる偏心光学素子のみでは、これらの収差補正を十分に行なうことが困難になってしまう場合がある。
【００４３】
そのため、観察者眼球と画像表示素子の間に、上述した偏心光学素子に加えて、屈折作用を有する少なくとも１つの光学面を配設することによって、接眼光学系で発生する収差の補正をより有効に行うことが可能となる。
【００４４】
　本発明の偏心光学素子では、第２面と第３面は反射面であるため、それらの面での色収差は発生しない。また、画像表示素子に近接する第４面における主光線は光軸にほぼ平行であるため、色収差の発生は少ない。したがって、接眼光学系の色収差は第１面での色収差の発生が支配的になる。また、本発明のような広画角な光学系では、軸上の色収差よりも倍率の色収差の方が顕著に現れる。
【００４５】
　つまり、第１面で発生する倍率の色収差の補正を行うことが重要であり、より鮮明で高解像な画像を表示することを可能とする。そのために、接眼光学系の構成として、観察者眼球と画像表示素子の間に偏心光学素子と屈折作用を有する少なくとも１つの光学面を配備することによって、接眼光学系を構成する光学素子を２種類以上の媒質にすることができ、それらの媒質のアッベ数の違いによって倍率の色収差を補正することが可能となる。
【００４６】
上述したように、本発明の接眼光学系においては、偏心光学素子の第１面で発生する色収差の補正が重要である。上記の少なくとも１つの光学面を第１面で発生する色収差量とほぼ同等の逆の色収差を発生させる面で構成することによって、これが可能となる。
【００４７】
　以下に、色収差の補正について詳しく説明する。画像表示素子から観察者眼球に至る光路中に偏心光学素子と屈折作用を有する少なくとも１つの光学面を配備することによって、接眼光学系の媒質を２つ以上で構成することができる。その場合、媒質のアッベ数の変化によって倍率の色収差を補正することが可能となる。例えば、偏心光学素子の第１面に偏心光学素子の媒質とは異なる負の屈折レンズを接合した場合を考える。全体の焦点距離ｆ、偏心光学系の焦点距離、アッベ数をｆ1 、ν1 、屈折レンズの焦点距離、アッベ数をｆ2 、ν2 とすると、光学系全体の色消し条件は次式で与えられる。
【００４８】
　　ｆ1 ＝（ν1 −ν2 ）・ｆ／ν1 
　　ｆ2 ＝−（ν1 −ν2 ）・ｆ／ν2 
　　１／ｆ＝１／ｆ1 ＋１／ｆ2 
　接眼光学系の焦点距離ｆ及び偏心光学素子の焦点距離ｆ1 は正であり、屈折レンズの焦点距離ｆ2 が負であるため、偏心光学系と屈折レンズのアッベ数の関係はν1 ＞ν2 となる。つまり、この場合の屈折レンズとしてはアッベ数がより小さい媒質を用いることで、色収差を良好に補正することが可能となる。
【００４９】
上述以外の場所に少なくとも１つの光学面が存在する場合におけるそれぞれの媒質のアッベ数の設定は、上述した例に準じて、同様の方法で設定することができる。
【００５０】
偏心光学素子と観察者眼球の間に正の屈折力を有する少なくとも１つの光学面を配備する場合には、偏心光学素子の第２面での光束径が小さくなるため、高次のコマ収差の発生が少なくなり、画像表示画面周辺まで鮮明に画像を観察することができる。また、画像周辺での主光線は正の屈折力を有する少なくとも１つの光学面によって屈折されるために、偏心光学素子に入射する光線高を低くすることができるため、偏心光学素子のみの場合よりもさらに観察画角を大きく設定することが可能となる。
【００５１】
上記の少なくとも１つの光学面が偏心光学素子の第２面と第３面の間に配設された場合、第２面で反射された光束は、少なくとも１つの光学面による屈折作用によって第３面での光線高は低くなるため、第１面を通過する軸外光線と第３面で反射する軸外光線が干渉し難くなる。
【００５２】
また、上記の少なくとも１つの光学面が偏心光学素子の第４面と画像表示素子との間に配設されている場合、負のパワーを有するときは画像表示素子に最も近い位置であるため、偏心光学素子で発生した像面湾曲の補正を行なうことが可能である。
【００５３】
　また、上記の少なくとも１つの光学面を視軸に対して偏心して配設することで、視軸に対して画像表示素子側の画像とその反対側の画像で非対称に発生するコマ収差を補正し、画像表示素子を配置する面に対する光軸をほぼ垂直にすることが可能となる。
【００５４】
　また、その少なくとも１つの光学面を接合レンズで構成することによって、少なくとも１つの光学面で発生する倍率の色収差を補正することができ、さらに鮮明で広画角を確保する場合に有効である。
【００５５】
　また、その少なくとも１つの光学面と偏心光学素子のそれぞれの面を向かい合った凹面とすることで空気レンズが形成される。この場合、２面の負のパワーを有効に利用できるため、光学系全体のペッツバール和を小さくすることができ、偏心光学素子の第２面で発生する像面湾曲を補正することを有効に行うことができる。
【００５６】
　また、画像表示素子と接眼光学系を観察者頭部に対して位置決めする手段を有することによって、観察者は安定した観察像を観察することが可能となる。
【００５７】
　さらに、画像表示素子と接眼光学系を観察者頭部に対して支持する支持手段を有し、観察者頭部に装着できるようにすることによって、観察者は自由な観察姿勢や観察方向で画像を観察することが可能となる。
【００５８】
　また、少なくとも２組の画像表示装置を一定の間隔で支持する支持手段を有することによって、観察者は左右両眼で楽に観察することが可能となる。また、左右の画像表示面に視差を与えた画像を表示し、両眼でそれらを観察することによって、立体像を楽しむことが可能となる。
【００５９】
本発明の画像表示装置における接眼光学系の画像表示素子面を像面として無限遠の物体を結像させるように構成することで、ファインダー光学系等の結像光学系として利用することが可能となる。
【００６０】
次に、以下に、本発明の画像表示装置の実施例１から１７について、それぞれの単眼用の光学系の断面図である図１〜図１７を参照して説明する。
【００６１】
各実施例の構成パラメータは後記するが、以下の説明において、面番号は、観察者の瞳位置１から画像表示素子７へ向う逆追跡の面番号として示してある。そして、座標の取り方は、図１に示すように、観察者の虹彩位置１を原点とし、観察者視軸２を原点から接眼光学系に向かう方向を正とするＺ軸、観察者視軸２に直交し、観察者眼球から見て上下方向の下から上を正とするＹ軸、観察者視軸２に直交し、観察者眼球からみて左右方向の右から左を正とするＸ軸と定義する。つまり、紙面内をＹーＺ面とし、紙面と垂直方向の面をＸ−Ｚ面とする。また、光軸は紙面のＹ−Ｚ面内で折り曲げられるものとする。
【００６２】
　そして、後記する構成パラメータ中において、面間隔、偏心量Ｙ，Ｚ、傾き角θは、それぞれの実施例において基準の取り方が異なるため、以下に示す実施例毎にそれを説明する。なお、傾き角θは反時計回りを正とする。
【００６３】
　また、全ての実施例において、画像表示素子７面の偏心量Ｙ，Ｚは、観察者の瞳１の中心からＹ軸、Ｚ軸方向へ偏心している距離であり、その傾き角θは視軸（Ｚ軸）からの傾き角である。
【００６４】
また、各面において、非回転対称な非球面形状は、その面を規定する座標上で、Ｒy 、Ｒx はそれぞれＹ−Ｚ面（紙面）内の近軸曲率半径、Ｘ−Ｚ面内での近軸曲率半径、Ｋx 、Ｋy はそれぞれＸ−Ｚ面、Ｙ−Ｚ面内の円錐係数、ＡＲ、ＢＲはそれぞれＺ軸に対して回転対称な４次、６次の非球面係数、ＡＰ、ＢＰはそれぞれＺ軸に対して回転非対称な４次、６次の非球面係数とすると、非球面式は以下に示す通りである。
【００６５】
　Ｚ =［( Ｘ2/Ｒx )+ (Ｙ2/Ｒy ) ］／［1+｛ 1-(1+Ｋx ) ( Ｘ2/Ｒx 2)
　　　　　　　　　　　　　　　　　　　　　-(1+Ｋy ) ( Ｙ2/Ｒy 2)｝1/2 ］　　　　　　　　　　　　　　　　　　　　　　　＋ＡＲ［ (1-ＡＰ) Ｘ2+( 1+ＡＰ) Ｙ2 ］2 
　　　　　　　　　　　　　　　　　　　＋ＢＲ［ (1-ＢＰ) Ｘ2+( 1+ＢＰ) Ｙ2 ］3 
　また、回転対称な非球面形状は、Ｒは近軸曲率半径、Ｋは円錐係数、Ａ、Ｂはそれぞれ４次、６次の非球面係数、ｈはｈ2 ＝Ｘ2 ＋Ｙ2 とすると、非球面式は以下に示す通りである。
【００６６】
　Ｚ =（ｈ2/Ｒ）／［1+｛ 1-(1+Ｋ) ( ｈ2/Ｒ2)｝1/2 ］＋Ａｈ2 ＋Ｂｈ6 
なお、面と面の間の媒質の屈折率はｄ線の屈折率で表す。長さの単位はｍｍである。
【００６７】
さて、以下に示す実施例は全て右眼用の画像表示装置であり、左眼用は構成す光学要素を全てＹ−Ｚ面に対称に配備することで実現できる。
【００６８】
また、実際の装置においては、接眼光学系によって光軸が屈曲する方向は、観察者の上方あるいは下方、側方何れの方向にあってもよいことは言うまでもない。
【００６９】
それぞれの断面図において、図中、１は観察者瞳位置、２は観察者視軸、３は接眼光学系の第１面、４は接眼光学系の第２面、５は接眼光学系の第４面、６は接眼光学系の第４面、７は画像表示素子、９は偏心光学系、１０は光学面、１１は負レンズ、１２は正レンズ、１３は接合レンズ、１４は裏面鏡である。
【００７０】
　各実施例における実際の光線経路は、実施例１を例にとると、次のようになる。すなわち、画像表示素子７から発した光線束は、接眼光学系（偏心光学系）の第４面６で屈折して接眼光学系に入射し、その第３面５、第２面４、第１面３の順に反射、反射、屈折されて、観察者の瞳の虹彩位置又は眼球の回旋中心を射出瞳１として観察者の眼球内に投影される。
【００７１】
　実施例１
　本実施例は、図１に断面を示すが、水平画角３０°、垂直画角２２．７°、瞳径４ｍｍである。
【００７２】
　後記する構成パラメータにおいて、２面は、間隔が与えられており、１面（瞳１）中心からの視軸２に沿う方向のその面頂までの距離である。３面は、間隔と傾き角θが与えられており、間隔は、視軸２に沿う方向の２面面頂からその面頂までの距離であり、傾き角θは、視軸２からの傾きである。４面は、間隔とＹ方向の偏心量Ｙと傾き角θが与えられており、間隔は、視軸２に沿う方向の３面面頂からその面頂までの距離であり、偏心量Ｙは、視軸２からのＹ軸方向へのその面頂の偏心している距離であり、傾き角θは、視軸２からの傾きである。５面は、間隔とＹ方向の偏心量Ｙと傾き角θが与えられており、間隔は、視軸２に沿う方向の４面面頂からその面頂までの距離であり、偏心量Ｙは、視軸２からのＹ軸方向へのその面頂の偏心している距離であり、傾き角θは、視軸２からの傾きである。
【００７３】
　この実施例において、２面、４面、５面は球面であり、３面はアナモフィック非球面である。
【００７４】
　実施例２
　本実施例は、図２に断面を示すが、水平画角４０°、垂直画角３０．５°、瞳径４ｍｍである。
【００７５】
　後記する構成パラメータにおいて、２面は、間隔とＹ方向の偏心量Ｙと傾き角θが与えられており、間隔は、１面（瞳１）中心からの視軸に沿う方向のその面頂までの距離であり、偏心量Ｙは、視軸２からのＹ軸方向へのその面頂の偏心している距離であり、傾き角θは、視軸２からの傾きである。３面、４面、５面は、それぞれＹ軸方向の偏心量ＹとＺ軸方向の偏心量Ｚと傾き角θが与えられており、偏心量Ｙは、視軸２からのＹ軸方向へのその面頂の偏心している距離であり、偏心量Ｚは、Ｚ軸方向の２面面頂からのその面頂の偏心している距離であり、傾き角θは、視軸２からの傾きである。
【００７６】
　この実施例において、２面は球面であり、３面、４面、５面はアナモフィック非球面である。
【００７７】
　実施例３
　本実施例は、図３に断面を示すが、水平画角３０°、垂直画角２２．７°、瞳径４ｍｍである。
【００７８】
　後記する構成パラメータの取り方は、実施例１と同じである。
【００７９】
　この実施例において、２面は平面であり、４面、５面は球面であり、３面はアナモフィック非球面である。
【００８０】
　実施例４
　本実施例は、図４に断面を示すが、水平画角３０°、垂直画角２２．７°、瞳径４ｍｍである。
【００８１】
　後記する構成パラメータにおいて、２面は、間隔が与えられており、１面（瞳１）中心からの視軸２に沿う方向のその面頂までの距離である。３面は、間隔と偏心量Ｙと傾き角θが与えられており、間隔は、視軸２に沿う方向の２面面頂からその面頂までの距離であり、偏心量Ｙは、視軸２からのＹ軸方向へのその面頂の偏心している距離であり、傾き角θは、視軸２からの傾きである。４面は、間隔とＹ方向の偏心量Ｙと傾き角θが与えられており、間隔は、視軸２に沿う方向の３面面頂からその面頂までの距離であり、偏心量Ｙは、視軸２からのＹ軸方向へのその面頂の偏心している距離であり、傾き角θは、視軸２からの傾きである。５面は、間隔とＹ方向の偏心量Ｙと傾き角θが与えられており、間隔は、視軸２に沿う方向の４面面頂からその面頂までの距離であり、偏心量Ｙは、視軸２からのＹ軸方向へのその面頂の偏心している距離であり、傾き角θは、視軸２からの傾きである。
【００８２】
　この実施例において、２面、５面は球面であり、３面、４面はアナモフィック非球面である。
【００８３】
　実施例５
　本実施例は、図５に断面を示すが、水平画角３０°、垂直画角２２．７°、瞳径４ｍｍである。
【００８４】
　後記する構成パラメータにおいて、２面は、間隔と傾き角θが与えられており、間隔は、１面（瞳１）中心からの視軸２に沿う方向のその面頂までの距離であり、傾き角θは、視軸２からの傾きである。３面は、間隔が与えられており、２面の中心軸に沿う距離であり、また、２面と同軸である。４面は、間隔とＹ方向の偏心量Ｙと傾き角θが与えられており、間隔は、３面の中心軸に沿う方向のその面頂までの距離であり、偏心量Ｙは、２面の中心軸に垂直な方向（２面で座標が傾き角θだけ回転したものとする。）のその面頂の偏心している距離であり、傾き角θは、２面の中心軸からの傾きである。５面は、間隔とＹ方向の偏心量Ｙと傾き角θが与えられており、間隔は、２面の中心軸に沿う方向の４面面頂からその面頂までの距離であり、偏心量Ｙは、２面の中心軸に垂直な方向のその面頂の偏心している距離であり、傾き角θは、２面の中心軸からの傾きである。６面は、Ｙ方向の偏心量Ｙと傾き角θが与えられており、偏心量Ｙは、２面の中心軸に垂直な方向への５面面頂からのその面頂の偏心している距離であり、傾き角θは、２面の中心軸からの傾きである。
【００８５】
　この実施例において、２面、３面、６面は球面であり、４面、５面はアナモフィック非球面である。また、球面である２つの光学面１０で構成された負レンズ１１が偏心光学素子９の第１面３に視軸２に対して偏心して接合されている。
【００８６】
　実施例６
　本実施例は、図６に断面を示すが、水平画角３０°、垂直画角２２．７°、瞳径４ｍｍである。
【００８７】
　後記する構成パラメータにおいて、２面は、間隔とＹ方向の偏心量Ｙと傾き角θが与えられており、間隔は、１面（瞳１）中心からの視軸２に沿う方向のその面頂までの距離であり、偏心量Ｙは、視軸２からのＹ軸方向へのその面頂の偏心している距離であり、傾き角θは、視軸２からの傾きである。３面は、間隔が与えられており、２面の中心軸に沿う距離であり、また、２面と同軸である。４面は、間隔とＹ方向の偏心量Ｙと傾き角θが与えられており、間隔は、３面の中心軸に沿う方向のその面頂までの距離であり、偏心量Ｙは、２面の中心軸に垂直な方向（２面で座標が傾き角θだけ回転したものとする。）のその面頂の偏心している距離であり、傾き角θは、２面の中心軸からの傾きである。５面、６面、７面は、それぞれＹ方向の偏心量ＹとＺ方向の偏心量Ｚと傾き角θが与えられており、偏心量Ｙは、４面の中心軸に垂直な方向（４面でさらに座標が傾き角θだけ回転したものとする。）のその面頂の偏心している距離であり、偏心量Ｚは、４面の中心軸に沿う方向の４面面頂からのその面頂の偏心している距離であり、傾き角θは、４面の中心軸からの傾きである。
【００８８】
　この実施例において、２面、３面、４面、７面は球面であり、５面、６面はアナモフィック非球面である。また、球面である２つの光学面１０で構成された負レンズ１１が観察者の瞳１と偏心光学素子９の第１面３との間に視軸２に対して偏心して配置されている。
【００８９】
　実施例７
　本実施例は、図７に断面を示すが、水平画角３０°、垂直画角２２．７°、瞳径４ｍｍである。
【００９０】
　後記する構成パラメータにおいて、２面は、間隔とＹ方向の偏心量Ｙと傾き角θが与えられており、間隔は、１面（瞳１）中心からの視軸２に沿う方向のその面頂までの距離であり、偏心量Ｙは、視軸２からのＹ軸方向へのその面頂の偏心している距離であり、傾き角θは、視軸２からの傾きである。３面、４面は、間隔が与えられており、２面の中心軸に沿うそれぞれ２面、３面からの距離であり、また、何れも２面と同軸である。５面、６面、７面、８面は、それぞれＹ方向の偏心量ＹとＺ方向の偏心量Ｚと傾き角θが与えられており、偏心量Ｙは、視軸２からのＹ軸方向へのその面頂の偏心している距離であり、偏心量Ｚは、１面中心からＺ軸方向へのその面頂の偏心している距離であり、傾き角θは、視軸２からの傾きである。
【００９１】
　この実施例において、２面、３面、４面、５面、８面は球面であり、６面、７面はアナモフィック非球面である。また、球面である３つの光学面１０で構成された負のパワーを有する接合レンズ１３が、観察者の瞳１と偏心光学素子９の間に視軸２に対して偏心して配置されている。
【００９２】
　実施例８
　本実施例は、図８に断面を示すが、水平画角３０°、垂直画角２２．７°、瞳径４ｍｍである。
【００９３】
　後記する構成パラメータにおいて、２面は、間隔が与えられており、１面（瞳１）中心からの視軸２に沿う方向のその面頂までの距離である。３面、４面、５面、６面、７面は、それぞれＹ方向の偏心量ＹとＺ方向の偏心量Ｚと傾き角θが与えられており、偏心量Ｙは、視軸２からのＹ軸方向へのその面頂の偏心している距離であり、偏心量Ｚは、２面面頂からＺ軸方向へのその面頂の偏心している距離であり、傾き角θは、視軸２からの傾きである。
【００９４】
　この実施例において、２面、３面、５面、７面は球面であり、４面、６面はアナモフィック非球面である。また、球面で瞳１に対して凹面を向けた１つの光学面１０が、偏心光学素子９の第１面３と第２面４の間に視軸２に対して偏心して配置されている。
【００９５】
　実施例９
　本実施例は、図９に断面を示すが、水平画角３０°、垂直画角２２．７°、瞳径４ｍｍである。
【００９６】
　後記する構成パラメータにおいて、２面は、間隔とＹ方向の偏心量Ｙと傾き角θが与えられており、間隔は、１面（瞳１）中心からの視軸２に沿う方向のその面頂までの距離であり、偏心量Ｙは、視軸２からのＹ軸方向へのその面頂の偏心している距離であり、傾き角θは、視軸２からの傾きである。３面、４面、５面、６面、７面、８面、９面は、それぞれＹ方向の偏心量ＹとＺ方向の偏心量Ｚと傾き角θが与えられており、偏心量Ｙは、視軸２からのＹ軸方向へのその面頂の偏心している距離であり、偏心量Ｚは、２面面頂からＺ軸方向へのその面頂の偏心している距離であり、傾き角θは、視軸２からの傾きである。
【００９７】
　この実施例において、３面、４面、６面、７面、９面は球面であり、２面は回転対称非球面であり、５面、８面はアナモフィック非球面である。また、球面で瞳１に対して凸面を向けた２つの光学面１０が、偏心光学素子９の第１面３と第２面４の間に視軸２に対して偏心して配置されている。
【００９８】
　実施例１０
　本実施例は、図１０に断面を示すが、水平画角３０°、垂直画角２２．７°、瞳径４ｍｍである。
【００９９】
　後記する構成パラメータの取り方は、実施例９と同じである。
【０１００】
　この実施例において、３面、４面、６面、７面、９面は球面であり、２面は回転対称非球面であり、５面、８面はアナモフィック非球面である。また、球面で瞳１に対して凹面を向けた光学面１０とアナモフィック非球面で瞳１に対して凹面を向けた裏面鏡１４を構成し、偏心光学素子９の第２面の瞳１とは反対側に視軸２に対して偏心して配置されている。ただし、この実施例において、偏心光学素子９の第２面１４は、実質的に裏面鏡１４の反射面が構成していることになる。
【０１０１】
　実施例１１
　本実施例は、図１１に断面を示すが、水平画角３０°、垂直画角２２．７°、瞳径８ｍｍである。
【０１０２】
　後記する構成パラメータにおいて、２面は、間隔とＹ方向の偏心量Ｙと傾き角θが与えられており、間隔は、１面（瞳１）中心からの視軸２に沿う方向のその面頂までの距離であり、偏心量Ｙは、視軸２からのＹ軸方向へのその面頂の偏心している距離であり、傾き角θは、視軸２からの傾きである。３面、４面、５面、６面、７面は、それぞれＹ方向の偏心量ＹとＺ方向の偏心量Ｚと傾き角θが与えられており、偏心量Ｙは、偏心量Ｙは、２面の中心軸に垂直な方向（２面で座標が傾き角θだけ回転したものとする。）のその面頂の偏心している距離であり、偏心量Ｚは、２面の中心軸に沿う方向の２面面頂からのその面頂の偏心している距離であり、傾き角θは、２面の中心軸からの傾きである。
【０１０３】
　この実施例において、２面、４面、５面、６面、７面は球面であり、３面はアナモフィック非球面である。また、球面で瞳１に対して凸面を向けた１つの光学面１０が、偏心光学素子９の第２面４と第３面５の間に視軸２に対して偏心して配置されている。
【０１０４】
　実施例１２
　本実施例は、図１２に断面を示すが、水平画角３０°、垂直画角２２．７°、瞳径８ｍｍである。
【０１０５】
　後記する構成パラメータの取り方は、実施例１１と同じである。
【０１０６】
　この実施例において、２面、４面、５面、６面、７面は球面であり、３面はアナモフィック非球面である。また、球面で瞳１に対して凸面を向けた１つの光学面１０が、偏心光学素子９の第２面４と第３面５の間に視軸２に対して偏心して配置されている。また、構成パラメータの３面と５面が反射面であるが、何れも全反射を利用できる構成になっている。
【０１０７】
　実施例１３
　本実施例は、図１３に断面を示すが、水平画角３０°、垂直画角２２．７°、瞳径４ｍｍである。
【０１０８】
　後記する構成パラメータにおいて、２面は、間隔と傾き角θが与えられており、間隔は、１面（瞳１）中心からの視軸２に沿う方向のその面頂までの距離であり、傾き角θは、視軸２からの傾きである。３面は、間隔とＹ方向の偏心量Ｙと傾き角θが与えられており、間隔は、２面の中心軸に沿う方向の２面面頂からその面頂までの距離であり、偏心量Ｙは、２面の中心軸に垂直な方向（２面で座標が傾き角θだけ回転したものとする。）のその面頂の偏心している距離であり、傾き角θは、２面の中心軸からの傾きである。４面は、間隔とＹ方向の偏心量Ｙと傾き角θが与えられており、間隔は、２面の中心軸に沿う方向の３面面頂からその面頂までの距離であり、偏心量Ｙは、２面の中心軸に垂直な方向のその面頂の偏心している距離であり、傾き角θは、２面の中心軸からの傾きである。５面は、間隔とＹ方向の偏心量Ｙと傾き角θが与えられており、間隔は、２面の中心軸に沿う方向の４面面頂からその面頂までの距離であり、偏心量Ｙは、２面の中心軸に垂直な方向のその面頂の偏心している距離であり、傾き角θは、２面の中心軸からの傾きである。６面は、間隔が与えられており、５面の中心軸に沿う距離であり、また、５面と同軸である。
【０１０９】
　この実施例において、２面、５面、６面は球面であり、３面、４面はアナモフィック非球面である。また、球面である２つの光学面１０で構成された負のレンズ１１が偏心光学素子９の第４面６に視軸２に対して偏心して接合されている。
【０１１０】
　実施例１４
　本実施例は、図１４に断面を示すが、水平画角３５°、垂直画角２６．６°、瞳径４ｍｍである。
【０１１１】
　後記する構成パラメータにおいて、２面は、間隔と傾き角θが与えられており、間隔は、１面（瞳１）中心からの視軸２に沿う方向のその面頂までの距離であり、傾き角θは、視軸２からの傾きである。３面、４面、５面、６面は、それぞれＹ軸方向の偏心量ＹとＺ軸方向の偏心量Ｚと傾き角θが与えられており、偏心量Ｙは、視軸２からのＹ軸方向へのその面頂の偏心している距離であり、偏心量Ｚは、Ｚ軸方向の２面面頂からのその面頂の偏心している距離であり、傾き角θは、視軸２からの傾きである。７面は、間隔が与えられており、６面の中心軸に沿う距離であり、また、６面と同軸である。
【０１１２】
　この実施例において、２面、５面、６面、７面は球面であり、３面、４面はアナモフィック非球面である。また、球面である２つの光学面１０で構成された負レンズ１１が偏心光学素子９の第４面６と画像表示素子７の間に視軸２に対して偏心して配置されている。
【０１１３】
　実施例１５
　本実施例は、図１５に断面を示すが、水平画角３０°、垂直画角２２．７°、瞳径４ｍｍである。
【０１１４】
　後記する構成パラメータにおいて、２面は、間隔とＹ方向の偏心量Ｙと傾き角θが与えられており、間隔は、１面（瞳１）中心からの視軸２に沿う方向のその面頂までの距離であり、偏心量Ｙは、視軸２からのＹ軸方向へのその面頂の偏心している距離であり、傾き角θは、視軸２からの傾きである。３面は、間隔が与えられており、２面の中心軸に沿う距離であり、また、２面と同軸である。４面は、間隔とＹ方向の偏心量Ｙと傾き角θが与えられており、間隔は、３面の中心軸に沿う方向のその面頂までの距離であり、偏心量Ｙは、２面の中心軸に垂直な方向（２面で座標が傾き角θだけ回転したものとする。）のその面頂の偏心している距離であり、傾き角θは、２面の中心軸からの傾きである。５面は、間隔とＹ方向の偏心量Ｙと傾き角θが与えられており、間隔は、２面の中心軸に沿う方向の４面面頂からその面頂までの距離であり、偏心量Ｙは、２面の中心軸に垂直な方向のその面頂の偏心している距離であり、傾き角θは、２面の中心軸からの傾きである。６面は、Ｙ方向の偏心量Ｙと傾き角θが与えられており、偏心量Ｙは、２面の中心軸に垂直な方向への５面面頂からのその面頂の偏心している距離であり、傾き角θは、２面の中心軸からの傾きである。７面は、間隔が与えられており、６面の中心軸に沿う距離であり、また、６面と同軸である。
【０１１５】
　この実施例において、２面、３面、６面、７面は球面であり、４面、５面はアナモフィック非球面である。また、球面である２つの光学面１０で構成された正レンズ１２が偏心光学素子９の第１面３と、球面である２つの光学面１０で構成された負レンズ１１が偏心光学素子９の第４面６と、それぞれ視軸２に対して偏心して接合されている。
【０１１６】
　実施例１６
　本実施例は、図１６に断面を示すが、水平画角４０°、垂直画角３０．６°、瞳径４ｍｍである。
【０１１７】
　後記する構成パラメータにおいて、２面は、間隔とＹ方向の偏心量Ｙと傾き角θが与えられており、間隔は、１面（瞳１）中心からの視軸２に沿う方向のその面頂までの距離であり、偏心量Ｙは、視軸２からのＹ軸方向へのその面頂の偏心している距離であり、傾き角θは、視軸２からの傾きである。３面は、間隔が与えられており、２面の中心軸に沿う２面からの距離であり、２面と同軸である。４面、５面、６面、７面は、それぞれＹ方向の偏心量ＹとＺ方向の偏心量Ｚと傾き角θが与えられており、偏心量Ｙは、視軸２からのＹ軸方向へのその面頂の偏心している距離であり、偏心量Ｚは、１面中心からＺ軸方向へのその面頂の偏心している距離であり、傾き角θは、視軸２からの傾きである。
【０１１８】
　この実施例において、２面、３面、４面、７面は球面であり、５面、６面はアナモフィック非球面である。また、非球面と球面である２つの光学面１０で構成された正レンズ１２が観察者の瞳１と偏心光学素子９の第１面３の間に視軸２に対して偏心して配置されている。
【０１１９】
　実施例１７
　本実施例は、図１７に断面を示すが、水平画角３０°、垂直画角２２．７°、瞳径８ｍｍである。
【０１２０】
　後記する構成パラメータにおいて、２面は、間隔が与えられており、１面（瞳１）中心からの視軸２に沿う方向のその面頂までの距離である。３面、４面、５面、６面は、それぞれＹ軸方向の偏心量ＹとＺ軸方向の偏心量Ｚと傾き角θが与えられており、偏心量Ｙは、視軸２からのＹ軸方向へのその面頂の偏心している距離であり、偏心量Ｚは、Ｚ軸方向の２面面頂からのその面頂の偏心している距離であり、傾き角θは、視軸２からの傾きである。
【０１２１】
　この実施例において、２面、３面、４面、６面、７面は球面であり、５面はアナモフィック非球面である。また、球面である光学面１０が偏心光学素子９の第２面４と第３面５の間に視軸２に対して偏心して配置されている。
【０１２２】
　次に、上記実施例１〜１７の構成パラメータを示す。
【０１２３】
　
実施例１　　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 32.000 　　　　　　　　　　　　　　　
２　　　　　  97.497        　　 18.000 　      1.5163　     64.15    
３　　　Ｒy -136.507　　　　　　-16.000 　  　  1.5163　     64.15  　
　　　　Ｒx -110.230　　　　　　　　　　　              θ   31.00°　
　　　　Ｋy   -8.368527 　　　　          　　　　　　　　　　　　　　
　　　Ｋx   -4.172733     　　                        　          　
　　　ＡＲ  -1.59481×10-7                                        　
　　　ＢＲ   2.66293×10-20 　　　　　　　　　　　　　　　　　　　　
　　　　ＡＰ   0.21126        　　　　　　　　　　　　  　　　　　　　
　　　　ＢＰ   2.19465×103  
４　　　    -207.825        　　 13.000 　  　  1.5163　     64.15  　
　　　　　　　　　　　　　　　　　　　　Ｙ　-12.000 　θ   18.37°　
５　　　　　　47.941　　　　　　    　　　　　　　　　　　　　　　　　
　　　　　　　　　　　　　　　　　　　　　Ｙ　-32.393 　θ  -43.79°　
６　　　　　（画像表示素子）  　　　　　　Ｙ　-35.719 　θ   16.65°　
　　　　　　　　　　　　　　　　　　　　　Ｚ   60.318 　　　　　　　　
（１）Ｒy3／Ｒy2＝  1.522                                           　
（２）Ｒy2／Ｒx2＝  1.238   　　　　　　　　　　　　　　　　　　　　　
（３）　　α　　＝ 59 °　                                          。
【０１２４】
　
実施例２　　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 32.522 　　　　　　　　　　　　　　　
２　　　　　  76.063        　　        　      1.4990　     69.10    
　　　                                　Ｙ   -0.946   θ    2.91°　
３　　　Ｒy -156.527　　　　　　        　  　  1.4990　     69.10  　
　　　　Ｒx  -98.656　　　　　　　　　　　Ｙ    2.234   θ   36.99°　
　　　　Ｋy   -7.073431 　　　　          Ｚ　 17.139 　　　　　　　　
　　　Ｋx   -4.186291     　　                        　          　
　　　ＡＲ   6.03173×10-11  
　　　ＢＲ  -3.111158 ×10-21 　　　　　　　　　　　　　　　　　　　
　　　　ＡＰ -40.1178         　　　　　　　　　　　　  　　　　　　　
　　　　ＢＰ   1.57973×103  
４　　　Ｒy -392.753　　　　　　        　  　  1.4990　     69.10  　
　　　　Ｒx -124.880　　　　　　　　　　　Ｙ   -9.745   θ   29.83°　
　　　　Ｋy   26.603285 　　　　          Ｚ　  0.739 　　　　　　　　
　　　Ｋx   -2.904214     　　                        　          　
　　　ＡＲ  -6.08108×10-8 
　　　ＢＲ   8.10913×10-11  
　　　　ＡＰ   0.0130633      　　　　　　　　　　　　  　　　　　　　
　　　　ＢＰ   0.280287                                               
５　　　Ｒy  133.797　　　　　　          Ｙ  -40.684   θ  -19.13°　
　　　　Ｒx  898.615　　　　　　　　　　　Ｚ　 19.597 　　　　　　　　
　　　　Ｋy  -41.405219 　　　　          　　　　　　　　　　　　　　
　　　Ｋx  -22.762024     　　                        　          　
　　　ＡＲ  -8.61315×10-6 
　　　ＢＲ  -1.1141 ×10-9 
　　　　ＡＰ  -0.610618       　　　　　　　　　　　　  　　　　　　　
　　　　ＢＰ   1.40395                                                
６　　　　　（画像表示素子）　　  　　　　Ｙ　-32.358 　θ    2.87°　
　　　　　　　　　　　　　　　　　　　　　Ｚ   62.534 　　　　　　　　
（１）Ｒy3／Ｒy2＝  2.509                                           　
（２）Ｒy2／Ｒx2＝  1.587   　　　　　　　　　　　　　　　　　　　　　
（３）　　α　　＝ 53.01°                                          。
【０１２５】
　
実施例３　　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 32.000 　　　　　　　　　　　　　　　
２　　　　　  ∞            　　 18.000 　      1.5163　     64.15    
３　　　Ｒy -115.406　　　　　　-16.000 　  　  1.5163　     64.15  　
　　　　Ｒx  -88.703　　　　　　　　　　　              θ   30.00°　
　　　　Ｋy   -2.807444 　　　　          　　　　　　　　　　　　　　
　　　Ｋx   -0.873733     　　                        　          　
　　　ＡＲ  -3.66094×10-8 
　　　ＢＲ   2.09121×10-14 　　　　　　　　　　　　　　　　　　　　
　　　　ＡＰ   1.20229        　　　　　　　　　　　　  　　　　　　　
　　　　ＡＲ  24.6366                                                 
４　　　    -430.703        　　 13.000 　  　  1.5163　     64.15  　
　　　　　　　　　　　　　　　　　　　　Ｙ　-11.315 　θ   18.37°　
５　　　　　　30.780　　　　　　    　　　Ｙ　-27.507 　θ  -39.28°　
６　　　　　（画像表示素子）  　　　　　　Ｙ　-31.522 　θ    7.17°　
　　　　　　　　　　　　　　　　　　　　　Ｚ   61.469 　　　　　　　　
（１）Ｒy3／Ｒy2＝  3.732                                           　
（２）Ｒy2／Ｒx2＝  1.301   　　　　　　　　　　　　　　　　　　　　　
（３）　　α　　＝ 60 °　                                          。
【０１２６】
　
実施例４　　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 32.000 　　　　　　　　　　　　　　　
２　　　　 -2227.303        　　 18.000 　      1.4870　     70.40    
３　　　Ｒy  -86.054　　　　　　-16.000 　  　  1.4870　     70.40  　
　　　　Ｒx  -71.847　　　　　　　　　　　Ｙ  　3.478   θ   29.21°　
　　　　Ｋy   -0.893441 　　　　          　　　　　　　　　　　　　　
　　　Ｋx   -0.204808       　                        　          　
　　　ＡＲ  -3.32767×10-8 
　　　ＢＲ  -3.29557×10-11 　　　　　　　　　　　　　　　　　　　　
　　　　ＡＰ   0.262425       　　　　　　　　　　　　  　　　　　　　
　　　　ＡＲ   0.671931                                               
４　　　Ｒy  -70.490　　　　　　  6.966 　  　  1.4870　     70.40  　
　　　　Ｒx  -52.620　　　　　　　　　　　Ｙ  -13.000   θ   18.37°　
　　　　Ｋy    0                                                      
　　　Ｋx    0                                                      
　　　ＡＲ  -7.62513×10-8 
　　　ＢＲ  -2.27777×10-10 　　　　　　　　　　　　　　　　　　　　
　　　　ＡＰ  -1.60098        　　　　　　　　　　　　  　　　　　　　
　　　　ＡＲ  -1.58374                                                
５　　　      85.106        　　          Ｙ　-32.132 　θ  -34.75°　
６　　　　　（画像表示素子）  　　　　　　Ｙ　-30.195 　θ  -19.83°　
　　　　　　　　　　　　　　　　　　　　　Ｚ   53.755 　　　　　　　　
（１）Ｒy3／Ｒy2＝  0.819                                           　
（２）Ｒy2／Ｒx2＝  1.198   　　　　　　　　　　　　　　　　　　　　　
（３）　　α　　＝ 60.79°  　　　　　　　　　　　　　　　　　　　　。
【０１２７】
　
実施例５　　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 32.000 　　　　　　　　　　　　　　　
２　　　　　-134.369        　　  1.161 　      1.70354      30.03    
　　　                                　              θ  -14.22°　
３　　　　　 111.981        　　 19.000 　      1.70246      48.40    
４　　　Ｒy  -97.955　　　　　　-17.000 　  　  1.70246      48.40  　
　　　　Ｒx  -77.443　　　　　　　　　　　Ｙ    3.478   θ   35.00°　
　　　　Ｋy   -2.387132 　　　　                        　　　　　　　
　　　Ｋx   -1.550973     　　                        　          　
　　　ＡＲ  -6.04843×10-7 
　　　ＢＲ  -5.9898 ×10-11 　　　　　　　　　　　　　　　　　　　　
　　　　ＡＰ  -0.113321       　　　　　　　　　　　　  　　　　　　　
　　　　ＢＰ  -0.375991                                               
５　　　Ｒy -109.614　　　　　　        　  　  1.70246      48.40  　
　　　　Ｒx  -72.524　　　　　　　　　　　Ｙ  -13.000   θ   25.00°　
　　　　Ｋy    0                                      　　　　　　　　
　　　Ｋx    0            　　                        　          　
　　　ＡＲ  -1.25361×10-6 
　　　ＢＲ  -2.36014×10-10  
　　　　ＡＰ  -0.41305        　　　　　　　　　　　　  　　　　　　　
　　　　ＢＰ  -0.506152                                               
６　　　　　-360.157                　　　Ｙ  -41.654   θ  -46.70°　
７　　　　　（画像表示素子）　      　　　Ｙ  -34.523   θ  -27.39°　
　　　　　　　　　　　　　　　　　　　　　Ｚ   57.718 　　　　　　　　
（１）Ｒy3／Ｒy2＝  1.119                                           　
（２）Ｒy2／Ｒx2＝  1.265   　　　　　　　　　　　　　　　　　　　　　
（３）　　α　　＝ 69.22°                                          。
【０１２８】
　
実施例６　　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 39.024 　　　　      　　　　　　　　
２　　　　  -480.180        　　  1.627 　      1.7550　     27.60    
　　　                                　Ｙ    5.087   θ   -5.57°　
３　　　　　  94.723        　　  1.990 　                            
４　　　　　  77.191        　　        　      1.6554　     54.18    
　　　                                　Ｙ   -2.109   θ    1.81°　
５　　　Ｒy -118.749　　　　　　        　  　  1.6554　     54.18  　
　　　　Ｒx  -86.271　　　　　　　　　　　Ｙ   10.000   θ   39.42°　
　　　　Ｋy   -8.00636    　　　          Ｚ　111.291   　　　　　　　
　　　Ｋx   -3.682175     　　                        　          　
　　　ＡＲ  -5.67283×10-7 
　　　ＢＲ   4.77872×10-11 　　　　　　　　　　　　　　　　　　　　
　　　　ＡＰ  -0.0390653      　　　　　　　　　　　　  　　　　　　　
　　　　ＢＰ  -0.229718                                               
６　　　Ｒy -149.417　　　　　　        　  　  1.6554　     54.18  　
　　　　Ｒx  -81.023　　　　　　　　　　　Ｙ  -16.389   θ   20.00°　
　　　　Ｋy    0          　　　          Ｚ　  2.860 　　　　　　　　
　　　Ｋx    0            　　                        　          　
　　　ＡＲ  -1.11451×10-7 
　　　ＢＲ  -4.01175×10-10  
　　　　ＡＰ  -0.409334       　　　　　　　　　　　　  　　　　　　　
　　　　ＢＰ  -0.0471411                                              
７　　　　　 416.536                  　　Ｙ  -44.775   θ  -54.20°　
　　　　　　  　　　　　　　　　　　　　　Ｚ    7.818 　　　　　　　　
８　　　　　（画像表示素子）　　　　  　　Ｙ  -39.406   θ  -26.59°　
　　　　　　　　　　　　　　　　　　　　　Ｚ   71.676 　　　　　　　　
（１）Ｒy3／Ｒy2＝  1.258                                           　
（２）Ｒy2／Ｒx2＝  1.376   　　　　　　　　　　　　　　　　　　　　　
（３）　　α　　＝ 54.34°                                          。
【０１２９】
　
実施例７　　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 32.888 　　　　      　　　　　　　　
２　　　　  -127.238        　　  1.546 　      1.7538　     27.65    
　　　                                　Ｙ    3.651   θ  -15.13°　
３　　　　　 107.965        　　  2.643 　      1.6983       48.83    
４　　　　　 274.646        　　        　                            
５　　　　　 229.721        　　        　      1.7440　     44.70    
　　　                                　Ｙ  -13.881   θ   -8.230 °
　　　　　　　　　　　　　　　　　        Ｚ　 37.813 　　　　　　　　
６　　　Ｒy -109.079　　　　　　        　  　  1.7440　     44.70  　
　　　　Ｒx  -74.156　　　　　　　　　　　Ｙ    5.398   θ   29.535 °
　　　　Ｋy   -2.240293   　　　          Ｚ　  55.846　　　　　　　　
　　　Ｋx   -2.129352     　　                        　          　
　　　ＡＲ  -5.37721×10-7 
　　　ＢＲ  -2.03548×10-13 　　　　　　　　　　　　　　　　　　　　
　　　　ＡＰ  -0.213473       　　　　　　　　　　　　  　　　　　　　
　　　　ＢＰ  -2.82206                                                
７　　　Ｒy -145.328　　　　　　        　  　  1.7440　     44.70  　
　　　　Ｒx  -62.397　　　　　　　　　　　Ｙ   -4.849   θ   21.46°　
　　　　Ｋy    0          　　　          Ｚ　 37.250 　　　　　　　　
　　　Ｋx    0            　　                        　          　
　　　ＡＲ  -8.36498×10-7 
　　　ＢＲ  -4.75521×10-10  
　　　　ＡＰ  -0.458634       　　　　　　　　　　　　  　　　　　　　
　　　　ＢＰ  -0.508777                                               
８　　　　　-580.390                　　　Ｙ  -40.489   θ  -56.71°　
　　　　　　  　　　　　　　　　　　　　　Ｚ   43.912 　　　　　　　　
９　　　　　（画像表示素子）　　　  　　　Ｙ  -36.433   θ  -20.70°　
　　　　　　　　　　　　　　　　　　　　　Ｚ   71.503 　　　　　　　　
（１）Ｒy3／Ｒy2＝  1.332                                           　
（２）Ｒy2／Ｒx2＝  1.471   　　　　　　　　　　　　　　　　　　　　　
（３）　　α　　＝ 60.46°                                          。
【０１３０】
　
実施例８　　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 32.000 　　　　      　　　　　　　　
２　　　　  -208.872        　　        　      1.7441　     28.06    
３　　　　　-187.213        　　        　      1.7440       44.70    
　　　　　　　　　　　　　　　　　        Ｚ　 10.000 　θ   37.24°　
４　　　Ｒy  -88.905　　　　　　        　  　  1.7440　     44.70  　
　　　　Ｒx  -65.176　　　　　　　　　　　Ｚ　 16.453   θ   32.00°　
　　　　Ｋy   -0.308154   　　　          　　　　　　　　　　　　　　
　　　Ｋx    0.092333     　　                        　          　
　　　ＡＲ  -1.50518×10-7 
　　　ＢＲ   1.88192×10-11 　　　　　　　　　　　　　　　　　　　　
　　　　ＡＰ  -0.193524       　　　　　　　　　　　　  　　　　　　　
　　　　ＢＰ  -1.65049                                                
５　　　　　-187.213                        　  1.7441　     28.06  　
　　　　　　　　　　　　　　　　　        Ｚ　 10.000 　θ   37.24°　
６　　　Ｒy  -95.287　　　　　　        　  　  1.5027　     68.73  　
　　　　Ｒx  -51.176　　　　　　　　　　　Ｙ  -13.000   θ   20.00°　
　　　　Ｋy    0          　　　          Ｚ　  4.170 　　　　　　　　
　　　Ｋx    0            　　                        　          　
　　　ＡＲ  -1.20201×10-6 
　　　ＢＲ  -3.79522×10-15  
　　　　ＡＰ  -0.409678       　　　　　　　　　　　　  　　　　　　　
　　　　ＢＰ -43.1252                                                 
７　　　　　 563.531                　　　Ｙ  -32.291   θ  -49.65°　
　　　　　　  　　　　　　　　　　　　　　Ｚ    9.76  　　　　　　　　
８　　　　　（画像表示素子）　　　  　　　Ｙ  -31.909   θ  -27.97°　
　　　　　　　　　　　　　　　　　　　　　Ｚ   62.573 　　　　　　　　
（１）Ｒy3／Ｒy2＝  1.072                                           　
（２）Ｒy2／Ｒx2＝  1.364   　　　　　　　　　　　　　　　　　　　　　
（３）　　α　　＝ 58 °                                            。
【０１３１】
　
実施例９　　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 32.000 　　　　      　　　　　　　　
２　　　Ｒ  -187.585        　　        　      1.6322　     48.51    
　　　　Ｋ　 -50.20556      　　        　Ｙ  -16.345   θ   -3.40°  
　　　Ａ　   4.59937×10-7 
　　　Ｂ　   2.58439×10-10 　　　　　　　　　　　　　　　　　　　　
３　　　　    49.338        　　        　      1.6418　     41.23    
　　　　　　　　　　　　　　　　　　    　Ｙ   -6.593   θ   30.19°  
　　　　　　　　　　　　　　　　　        Ｚ　 11.624 　　　　　　　　
４　　　　   166.366        　　        　      1.5572　     64.10    
　　　　　　　　　　　　　　　　　　    　Ｙ  -12.392   θ   35.42°  
　　　　　　　　　　　　　　　　　        Ｚ　 21.710 　　　　　　　　
５　　　Ｒy  -95.046　　　　　　        　  　  1.5572　     64.10  　
　　　　Ｒx  -66.340　　　　　　　　　　　Ｙ　 10.000   θ   40.00°  
　　　　Ｋy   -0.718117   　　　          Ｚ　 11.000                 
　　　Ｋx   -0.300704     　　                        　          　
　　　ＡＲ  -5.22263×10-8 
　　　ＢＲ  -7.85534×10-12 　　　　　　　　　　　　　　　　　　　　
　　　　ＡＰ   1.16601        　　　　　　　　　　　　  　　　　　　　
　　　　ＢＰ  -1.4734                                                 
６　　　　　 166.366                        　  1.5572　     64.10  　
　　　　　　　　　　　　　　　　　        Ｙ　-12.392 　θ   35.42°　
　　　　　　　　　　　　　　　　　        Ｚ　 21.710 　　　　　　　　
７　　　　　  49.338                        　  1.6418　     41.23  　
　　　　　　　　　　　　　　　　　        Ｙ　 -6.593 　θ   30.19°　
　　　　　　　　　　　　　　　　　        Ｚ　 11.624 　　　　　　　　
８　　　Ｒy -137.574　　　　　　        　  　  1.6322　     48.51  　
　　　　Ｒx  -47.520　　　　　　　　　　　Ｙ   -0.499   θ   18.89°　
　　　　Ｋy    0          　　　          Ｚ　  0.086 　　　　　　　　
　　　Ｋx    0            　　                        　          　
　　　ＡＲ   1.21024×10-9 
　　　ＢＲ   3.74455×10-14  
　　　　ＡＰ -10.0983         　　　　　　　　　　　　  　　　　　　　
　　　　ＢＰ -17.3357                                                 
９　　　　　 176.596                　　　Ｙ  -40.419   θ  -55.47°　
　　　　　　  　　　　　　　　　　　　　　Ｚ    8.855 　　　　　　　　
１０　　　　（画像表示素子）　　　  　　　Ｙ  -42.854   θ  -43.38°　
　　　　　　　　　　　　　　　　　　　　　Ｚ   53.820 　　　　　　　　
（１）Ｒy3／Ｒy2＝  1.447                                           　
（２）Ｒy2／Ｒx2＝  1.433   　　　　　　　　　　　　　　　　　　　　　
（３）　　α　　＝ 50 °                                            。
【０１３２】
　
実施例１０　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 32.000 　　　　      　　　　　　　　
２　　　Ｒ  -175.289　　　　　　        　  　  1.5941　     44.13  　
　　　　Ｋ　-155.219792     　　        　Ｙ  -14.072   θ   10.00°  
　　　Ａ　   8.04348×10-7 
　　　Ｂ　   9.27703×10-10 　　　　　　　　　　　　　　　　　　　　
３　　　　  -426.084        　　        　Ｙ   -9.117   θ   25.38°  
　　　　　　　　　　　　　　　　　　    　Ｚ　  9.581 　　　　　　　  
４　　　　   -75.870        　　        　      1.6287　     58.59    
　　　　　　　    　　　　　　　　　    　Ｙ    3.984   θ   35.90°  
　　　　　　　　　　　　　　　　　        Ｚ　 11.611 　　　　　　　　
５　　　Ｒy  -80.178　　　　　　        　  　  1.6287　     58.59  　
　　　　Ｒx  -63.594　　　　　　　　　　　Ｙ　 10.000   θ   40.00°　
　　　　Ｋy   -0.869793   　　　          Ｚ　 11.000                 
　　　Ｋx   -0.688484     　　                        　          　
　　　ＡＲ  -7.17251×10-8 
　　　ＢＲ  -6.38727×10-14 　　　　　　　　　　　　　　　　　　　　
　　　　ＡＰ  -0.260622       　　　　　　　　　　　　  　　　　　　　
　　　　ＢＰ   3.85581                                                
６　　　　　 -75.870                        　　　　　　　　　　　　　
　　　　　　　　　　　　　　　　　        Ｙ　  3.984 　θ   35.90°　
　　　　　　　　　　　　　　　　　        Ｚ　 11.611 　　　　　　　　
７　　　　　-426.084                        　  1.5941　     44.13  　
　　　　　　　　　　　　　　　　　        Ｙ　 -9.117 　θ   25.38°　
　　　　　　　　　　　　　　　　　        Ｚ　  9.581 　　　　　　　　
８　　　Ｒy -211.470　　　　　　        　  　  1.5941　     44.13  　
　　　　Ｒx  -55.393　　　　　　　　　　　Ｙ   -1.313   θ    9.477 °
　　　　Ｋy    0          　　　          Ｚ　  0.568 　　　　　　　　
　　　Ｋx    0            　　                        　          　
　　　ＡＲ   1.18093×10-9 
　　　ＢＲ   2.01542×10-15  
　　　　ＡＰ  -9.04087        　　　　　　　　　　　　  　　　　　　　
　　　　ＢＰ -14.0853                                                 
９　　　　　 -32.943              　                                  
　　　　　　　　　　　　　　　　　　　　　Ｙ  -43.758   θ  -59.05°　
　　　　　　  　　　　　　　　　　　　　　Ｚ    8.855 　　　　　　　　
１０　　　　（画像表示素子）　　　　　　                  　　　　　　
　　　　　　　　　　　　　　　　　　　　　Ｙ  -44.400   θ  -29.63°　
　　　　　　　　　　　　　　　　　　　　　Ｚ   50.724 　　　　　　　　
（１）Ｒy3／Ｒy2＝  2.638                                           　
（２）Ｒy2／Ｒx2＝  1.261   　　　　　　　　　　　　　　　　　　　　　
（３）　　α　　＝ 50 °                                            。
【０１３３】
　
実施例１１　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 30.322 　　　　      　　　　　　　　
２　　　　   103.550        　　        　　    1.6013  　   61.30°  
　　　　　　　    　　　　　　　　　    　Ｙ   -9.898   θ  -19.05°  
３　　　Ｒy -202.010　　　　　　        　  　  1.6013　     61.30  　
　　　　Ｒx -144.280　　　　　　　　　　　Ｙ　 14.676   θ   40.61°　
　　　　Ｋy   -5.9195     　　　          Ｚ　 21.879                 
　　　Ｋx  -14.752645     　　                        　          　
　　　ＡＲ  -1.99548×10-7 
　　　ＢＲ  -9.54327×10-22 　　　　　　　　　　　　　　　　　　　　
　　　　ＡＰ  -0.427534       　　　　　　　　　　　　  　　　　　　　
　　　　ＢＰ   2.19465×10-3 
４　　　　　 225.710                      　    1.7550  　   27.60  　
　　　　　　　　　　　　　　　　　        Ｙ　 -9.000 　θ   33.00°　
　　　　　　　　　　　　　　　　　        Ｚ　 10.891 　　　　　　　　
５　　　　　-379.519                        　  1.7550　     27.60  　
　　　　　　　　　　　　　　　　　        Ｙ　  4.142 　θ   40.31°　
　　　　　　　　　　　　　　　　　        Ｚ　 -4.425 　　　　　　　　
６　　　　　 225.710                        　  1.6013　     61.30  　
　　　　　　　　　　　　　　　　　        Ｙ　 -9.000 　θ   33.00°　
　　　　　　　　　　　　　　　　　        Ｚ　 10.891 　　　　　　　　
７　　　　　 139.834                      Ｙ　-20.502 　θ  -18.00°　
　　　　　　　　　　　　　　　　　        Ｚ　 26.745 　　　　　　　　
８　　　　　（画像表示素子）　　　  　　　Ｙ  -34.594   θ    6.59°　
　　　　　　　　　　　　　　　　　　　　　Ｚ   65.977 　　　　　　　　
（１）Ｒy3／Ｒy2＝  1.879                                           　
（２）Ｒy2／Ｒx2＝  1.400   　　　　　　　　　　　　　　　　　　　　　
（３）　　α　　＝ 68.44°                                          。
【０１３４】
　
実施例１２　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 28.695 　　　　      　　　　　　　　
２　　　　    84.793        　　        　　    1.7440  　   44.70    
　　　　　　　    　　　　　　　　　    　Ｙ   -8.729   θ  -13.34°  
３　　　Ｒy -862.801　　　　　　        　  　  1.7440　     44.70  　
　　　　Ｒx -257.918　　　　　　　　　　　Ｙ　  1.554 　θ   51.16°　
　　　　Ｋy -316.231372   　　　          Ｚ　 39.013 　　　　　　　　
　　　Ｋx  -58.426803     　　                        　          　
　　　ＡＲ  -8.67744×10-9 
　　　ＢＲ   5.1966 ×10-22 　　　　　　　　　　　　　　　　　　　　
　　　　ＡＰ  -1.50396        　　　　　　　　　　　　  　　　　　　　
　　　　ＢＰ   2.17709×103  
４　　　　　 147.700                      　    1.7374  　   28.35  　
　　　　　　　　　　　　　　　　　        Ｙ　-20.728 　θ   45.58°　
　　　　　　　　　　　　　　　　　        Ｚ　 31.663 　　　　　　　　
５　　　　　 663.675                        　  1.7374　     28.35  　
　　　　　　　　　　　　　　　　　        Ｙ　  9.039 　θ   44.57°　
　　　　　　　　　　　　　　　　　        Ｚ　 -3.498 　　　　　　　　
６　　　　　 147.700                        　  1.7440　     44.70  　
　　　　　　　　　　　　　　　　　        Ｙ　-20.728 　θ   45.58°　
　　　　　　　　　　　　　　　　　        Ｚ　 31.663                 
７　　　　　 126.331                      Ｙ　-61.667 　θ   -1.28°　
　　　　　　　　　　　　　　　　　        Ｚ　 50.956 　　　　　　　　
８　　　　　（画像表示素子）　　　　  　　Ｙ  -47.586   θ   15.22°　
　　　　　　　　　　　　　　　　　　　　　Ｚ   93.357                 
（１）Ｒy3／Ｒy2＝ -0.769                                           　
（２）Ｒy2／Ｒx2＝  3.345   　　　　　　　　　　　　　　　　　　　　　
（３）　　α　　＝ 52.18°                                          。
【０１３５】
　
実施例１３　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 32.000 　　　　      　　　　　　　　
２　　　　  -203.051        　　 18.000 　　    1.6620  　   53.23    
　　　　　　　    　　　　　　　　　    　              θ  -12.00°  
３　　　Ｒy  -93.830　　　　　　-19.000 　  　  1.6620　     53.23  　
　　　　Ｒx  -77.751　　　　　　　　　　　Ｙ　  3.478 　θ   33.00°　
　　　　Ｋy    1.005172                                 　　　　　　　
　　　Ｋx   -0.782108     　　                        　          　
　　　ＡＲ  -8.24396×10-9 
　　　ＢＲ   1.36575×10-11 　　　　　　　　　　　　　　　　　　　　
　　　　ＡＰ   0.197482       　　　　　　　　　　　　  　　　　　　　
　　　　ＢＰ  -0.0934513                                              
４　　　Ｒy  -85.607　　　　　　  7.000 　  　  1.6620　     53.23  　
　　　　Ｒx  -56.920　　　　　　　　　　　Ｙ　-13.000 　θ   20.00°　
　　　　Ｋy    0                                        　　　　　　　
　　　Ｋx    0              　                        　          　
　　　ＡＲ   3.15046×10-7 
　　　ＢＲ  -3.70111×10-11 　　　　　　　　　　　　　　　　　　　　
　　　　ＡＰ  -2.22485        　　　　　　　　　　　　  　　　　　　　
　　　　ＢＰ   2.37352                                                
５　　　　　 -33.119             1.682    　    1.7550  　   27.60  　
　　　　　　　　　　　　　　　　　        Ｙ　-34.962 　θ  -50.28°　
６　　　　　 927.298                        　  　　　　　　　　　　　
７　　　　　（画像表示素子）　　　　  　　Ｙ  -37.016   θ  -41.30°　
　　　　　　　　　　　　　　　　　　　　　Ｚ   46.780                 
（１）Ｒy3／Ｒy2＝  0.912                                           　
（２）Ｒy2／Ｒx2＝  1.207   　　　　　　　　　　　　　　　　　　　　　
（３）　　α　　＝ 69.00°                                          。
【０１３６】
　
実施例１４　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 25.000 　　　　      　　　　　　　　
２　　　　   204.694        　　        　　    1.6200  　   60.30    
　　　　　　　    　　　　　　　　　    　Ｙ   -3.185   θ  -15.00°  
３　　　Ｒy -159.563　　　　　　        　  　  1.6200　     60.30  　
　　　　Ｒx -100.471　　　　　　　　　　　Ｙ　  2.186 　θ   26.98°　
　　　　Ｋy   -2.036793                   Ｚ   14.331   　　　　　　　
　　　Ｋx   -2.676128     　　                        　          　
　　　ＡＲ  -7.18684×10-10  
　　　ＢＲ  -1.40819×10-11 　　　　　　　　　　　　　　　　　　　　
　　　　ＡＰ  11.2006         　　　　　　　　　　　　  　　　　　　　
　　　　ＢＰ   1.7909                                                 
４　　　Ｒy -630.426　　　　　　        　  　  1.6200　     60.30  　
　　　　Ｒx -146.568　　　　　　　　　　　Ｙ　-15.636 　θ   12.78°　
　　　　Ｋy    0                          Ｚ    0.190   　　　　　　　
　　　Ｋx    0              　                        　          　
　　　ＡＲ   1.87526×10-9 
　　　ＢＲ  -2.76668×10-12 　　　　　　　　　　　　　　　　　　　　
　　　　ＡＰ   0.0211611      　　　　　　　　　　　　  　　　　　　　
　　　　ＢＰ   4.44627                                                
５　　　　　 -90.000                      Ｙ　-38.038 　θ  -43.90°　
　　　　　　　　　　　　　　　　　        Ｚ　  5.289 　　　　　　　　
６　　　　　 -89.721             1.699      　  1.7550　     27.60  　
　　　　　　　　　　　　　　　　　　　　　Ｙ  -38.575   θ  -43.01°　
　　　　　　　　　　　　　　　　　　　　　Ｚ    8.832               　
７　　　　　  83.786                      　　　　　　　　　　　　　　
８　　　　　（画像表示素子）　　　　      Ｙ　-37.157 　θ  -12.20°　
　　　　　　　　　　　　　　　　　        Ｚ　 52.595 　　　　　　　　
（１）Ｒy3／Ｒy2＝  3.951                                           　
（２）Ｒy2／Ｒx2＝  1.588   　　　　　　　　　　　　　　　　　　　　　
（３）　　α　　＝ 63.02°                                          。
【０１３７】
　
実施例１５　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 33.963 　　　　      　　　　　　　　
２　　　　  -161.077        　　  6.808 　　    1.7440  　   44.70    
　　　　　　　    　　　　　　　　　    　Ｙ    1.398   θ  -14.96°  
３　　　     -19.730　　　　　　  9.000 　  　  1.7356　     38.60  　
４　　　Ｒy -132.032　　　　　　 -9.000 　  　  1.7356　     38.60  　
　　　　Ｒx  -79.749　　　　　　　　　　　Ｙ　  9.652 　θ   46.62°　
　　　　Ｋy   -3.401113                                 　　　　　　　
　　　Ｋx   -0.597576     　　                        　          　
　　　ＡＲ  -4.35342×10-7 
　　　ＢＲ   1.37675×10-14 　　　　　　　　　　　　　　　　　　　　
　　　　ＡＰ   1.54099×10-3  　　　　　　　　　　　　  　　　　　　　
　　　　ＢＰ   9.89904                                                
５　　　Ｒy -323.588　　　　　　        　  　  1.7356　     38.60  　
　　　　Ｒx  -87.689　　　　　　　　　　　Ｙ　-11.780 　θ   34.70°　
　　　　Ｋy    0                                        　　　　　　　
　　　Ｋx    0              　                        　          　
　　　ＡＲ  -1.19882×10-6 
　　　ＢＲ  -6.52387×10-10 　　　　　　　　　　　　　　　　　　　　
　　　　ＡＰ  -0.358157       　　　　　　　　　　　　  　　　　　　　
　　　　ＢＰ  -0.394845                                               
６　　　　   -35.593        　　  1.569 　　    1.6206  　   36.28    
　　　　　　　　　　　　　　　　　        Ｙ　-33.870 　θ  -34.42°　
　　　　　　　　　　　　　　　　　        Ｚ　 20.000 　　　　　　　　
７　　　　　 146.141                                                　
８　　　　　（画像表示素子）　　　　      Ｙ　-38.172 　θ   -6.45°　
　　　　　　　　　　　　　　　　　        Ｚ　 72.932 　　　　　　　　
（１）Ｒy3／Ｒy2＝  2.451                                           　
（２）Ｒy2／Ｒx2＝  1.656   　　　　　　　　　　　　　　　　　　　　　
（３）　　α　　＝ 58.34°                                          。
【０１３８】
　
実施例１６　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 26.388 　　　　      　　　　　　　　
２　　　　    60.936        　　  5.977 　　    1.6392  　   56.73    
　　　　　　　    　　　　　　　　　    　Ｙ   -0.369   θ  -14.18°  
３　　　     -45.628　　　　　　                                    　
４　　　     -31.506　　　　　　                                    　
　　　　　　　    　　　　　　　　　    　Ｙ    0.947   θ   -5.375 °
　　　　　　　　　　　　　　　　　        Ｚ　 36.416 　　　　　　　　
５　　　Ｒy -183.538　　　　　　        　  　  1.7550　     27.60  　
　　　　Ｒx -112.045　　　　　　　　　　　Ｙ　 -4.332 　θ   30.69°　
　　　　Ｋy  -13.897525                   Ｚ   51.975   　　　　　　　
　　　Ｋx   -3.33359      　　                        　          　
　　　ＡＲ  -4.04909×10-7 
　　　ＢＲ   2.09722×10-5  　　　　　　　　　　　　　　　　　　　　
　　　　ＡＰ  -0.00191601     　　　　　　　　　　　　  　　　　　　　
　　　　ＢＰ   2.09722×103  
６　　Ｒy  16770.468                            1.7550       27.60    
　　　Ｒx  13944.321                      Ｙ　 -6.807 　θ   27.70°　
　　　　Ｋy    0                          Ｚ   31.435   　　　　　　　
　　　Ｋx    0              　                        　          　
　　　ＡＲ  -5.74255×10-8 
　　　ＢＲ  -1.14233×10-11 　　　　　　　　　　　　　　　　　　　　
　　　　ＡＰ  -0.17785        　　　　　　　　　　　　  　　　　　　　
　　　　ＢＰ  -0.272399                                               
７　　　　   222.419        　　          Ｙ　-41.467 　θ  -21.00°　
　　　　　　　　　　　　　　　　　        Ｚ　 49.118 　　　　　　　　
８　　　　　（画像表示素子）　　　        Ｙ　-28.352 　θ   15.16°　
　　　　　　　　　　　　　　　　　        Ｚ　 67.095 　　　　　　　　
（１）Ｒy3／Ｒy2＝-91.373                                           　
（２）Ｒy2／Ｒx2＝  1.638   　　　　　　　　　　　　　　　　　　　　　
（３）　　α　　＝ 59.31°                                          。
【０１３９】
　
実施例１７　　　　　　　　　　　　　　　　　　　　　　　　　　　　　　
面番号　　　　曲率半径　　　　    間隔　　　    屈折率　　　アッベ数　
　　　　　　　　　　　　　　　　　　　　　　　（偏心量）　　（傾き角）
１　　　　　　∞（瞳）　　　　　 29.316 　　　　      　　　　　　　　
２　　　　   181.001        　　        　　    1.5626  　   63.71    
３　　　　  -284.969        　　        　　    1.5626  　   63.71    
　　　　　　    　　　　　　　　　    　Ｙ   17.325   θ   27.00°  
　　　　　　　　　　　　　　　　　        Ｚ　 27.476 　　　　　　　　
４　　　      58.299　　　　　　                1.6319       38.59  　
　　　　　　    　　　　　　　　　    　Ｙ  -21.861   θ   71.46°　
　　　　　　　　　　　　　　　　　        Ｚ　 22.195 　　　　　　　　
５　　　Ｒy  233.704　　　　　　        　  　  1.6319　     38.59  　
　　　　Ｒx  166.891　　　　　　　　　　　Ｙ　-22.800 　θ   68.10°　
　　　　                                  Ｚ   16.701   　　　　　　　
６　　　      58.299                            1.6319  　　 38.59　　
　　　　　　    　　　　　　　　　    　Ｙ  -21.861   θ   71.46°　
　　　　　　　　　　　　　　　　　        Ｚ　 22.195 　　　　　　　　
７　　　    -448.802                    　Ｙ   14.600   θ   94.59°　
　　　　　　　　　　　　　　　　　        Ｚ　 29.584 　　　　　　　　
８　　　　　（画像表示素子）　　　　      Ｙ　 20.097 　θ   88.89°　
　　　　　　　　　　　　　　　　　        Ｚ　 45.137 　　　　　　　　
（１）Ｒy3／Ｒy2＝ -0.82                                            　
（２）Ｒy2／Ｒx2＝  1       　　　　　　　　　　　　　　　　　　　　　
（３）　　α　　＝ 63.00°                                          。
【０１４０】
　
　次に、上記実施例１、実施例５、実施例１４の横収差図をそれぞれ図１８〜図２０、図２１〜図２３、図２４〜図２６に示す。これらの横収差図において、括弧内に示された数字は、（水平画角，垂直画角）を表し、その画角における横収差を示す。
【０１４１】
　以上、本発明の画像表示装置をいくつかの実施例に基づいて説明してきたが、本発明はこれらの実施例に限定されず種々の変形が可能である。本発明の画像表示装置を頭部装着式画像表示装置（ＨＭＤ）１５として構成するには、図２７（ａ）に断面図、同図（ｂ）に斜視図を示すように、例えばヘッドバンド１７を取り付けて観察者の頭部に装着して使用する。この使用例の場合に、接眼光学系の第２面４を半透過ミラー（ハーフミラー）とし、このハーフミラーの前方に液晶シヤッター１６を配備し、外界像を選択的に又は画像表示素子７の映像と重畳して観察できるようにしている。
【０１４２】
さらに、本発明の画像表示装置の接眼光学系を結像光学系として用いた場合、例えば、図２８に斜視図を示すように、撮影光学系Ｏｂとファインダー光学系Ｆｉが別体に併設されたコンパクトカメラＣａのファインダー光学系Ｆｉに用いることができる。このような結像光学系として用いた場合の光学系の構成図を図２９に示す。前側レンズ群ＧＦと、明るさ絞りＤとその後方に配備された本発明による接眼光学系ＤＳとで対物光学系Ｌｔを構成することができる。この対物光学系Ｌｔによって形成された像は、この対物光学系Ｌｔの観察者側に設けられた４回反射のホロプリズムＰによって正立され、接眼レンズＯｃによって観察できる。
【０１４３】
　上記で説明した本発明に基づく画像表示装置は、例えば次のように構成することができる。
〔１〕　画像を表示する画像表示素子と、前記画像表示素子によって形成された画像を投影し、観察者眼球に導く接眼光学系とからなる画像表示装置において、　前記接眼光学系は少なくとも４つの面を持ち、それらの面を、前記観察者眼球から前記画像表示素子に至る逆光線追跡に従って光線が通過する順に、屈折面である第１面、前記第１面に対向し観察者視軸に対して偏心した正のパワーを有する反射面である第２面、前記第２面に対向し前記第２面で反射後の観察者視軸に対して偏心した反射面である第３面、前記画像表示素子に最も近接している屈折面である第４面とした場合、
前記の少なくとも４つの面の中、少なくとも２面は有限の曲率半径を有する面であり、
前記の第１面から第４面によって形成される空間が屈折率が１より大きい媒質で満たされており、
前記観察者眼球から前記画像表示素子に至るまでの主光線が、前記接眼光学系の内部において交差しないように前記２つの反射面を配設し、
前記画像表示素子の画像の１次像が前記観察者眼球の網膜に結像するように形成されていることを特徴とする画像表示装置。
〔２〕　前記第３面は前記第２面に対して凸面を向けた反射面であることを特徴とする上記〔１〕記載の画像表示装置。
〔３〕　前記の第１面から第４面の何れか１面は偏心非球面であることを特徴とする上記〔２〕記載の画像表示装置。
〔４〕　前記観察者視軸含む上下方向の面をＹ−Ｚ面と定義する場合、前記第２面のＹ−Ｚ面内における曲率半径をＲy2、前記第３面のＹ−Ｚ面内における曲率半径をＲy3とするとき、
０＜Ｒy3／Ｒy2＜４　　　　　　　　　　　　　　　　　　・・・（１）
であることを特徴とする上記〔３〕記載の画像表示装置。
〔５〕　前記の第１面から第４面の何れか１面はアナモフィック面であることを特徴とする上記〔３〕又は〔４〕記載の画像表示装置。
〔６〕　前記観察者視軸を含む上下方向の面をＹ−Ｚ面、前記観察者視軸を含む左右方向の面をＸ−Ｚ面と定義する場合、前記第２面のＹ−Ｚ面内における曲率半径をＲy2、前記第２面のＸ−Ｚ面内における曲率半径をＲx2とするとき、
Ｒy2／Ｒx2＞１　　　　　　　　　　　　　　　　　　　　・・・（２）
であることを特徴とする上記〔３〕又は〔５〕記載の画像表示装置。
〔７〕  前記接眼光学系の第１面及び第４面の何れか１面は視軸に対してティルトあるいはディセンタリングしていることを特徴とする上記〔６〕記載の画像表示装置。
〔８〕　前記接眼光学系の第２面と視軸のなす角をαとするとき、
　　３０°＜α＜８０°　　　　　　　　　　　　　　　　　　・・・（３）
であることを特徴とする上記〔７〕記載の画像表示装置。
〔９〕　前記画像表示素子の表示面は前記観察者視軸に対して傾いて配備されていることを特徴とする上記〔８〕記載の画像表示装置。
〔１０〕　画像を表示する画像表示素子と、前記画像表示素子によって形成された画像を投影し、観察者眼球に導く接眼光学系とからなる画像表示装置において、
　前記接眼光学系は、
　少なくとも４つの面を持ち、それらの面を、前記観察者眼球から前記画像表示素子に至る逆光線追跡に従って光線が通過する順に、屈折面である第１面、前記第１面に対向し観察者視軸に対して偏心した正のパワーを有する反射面である第２面、前記第２面に対向し前記第２面で反射後の観察者視軸に対して偏心した反射面である第３面、前記画像表示素子に最も近接している屈折面である第４面とした場合、
前記の少なくとも４つの面の中、少なくとも２面は有限の曲率半径を有する面であり、
前記の第１面から第４面によって形成される空間が屈折率が１より大きい媒質で満たされてなる偏心光学素子と、
屈折作用を有する少なくとも１つの光学面と、
　を前記画像表示素子から前記観察者眼球に至る光路中に配設してなることを特徴とする画像表示装置。
〔１１〕　前記の少なくとも１つの光学面は、前記第１面で発生する色収差量とほぼ同等の逆の色収差量を発生させる面で構成してなることを特徴とする上記〔１０〕記載の画像表示装置。
〔１２〕　前記の少なくとも１つの光学面は、前記第１面で発生する色収差量とほぼ同等の逆の色収差量を発生させるように、面のパワー及び面前後の媒質の屈折率及びアッベ数が設定されてなる上記〔１０〕記載の画像表示装置。
〔１３〕　前記の少なくとも１つの光学面は、前記観察者眼球と前記偏心光学素子の第１面の間に配置されたていることを特徴とする上記〔１１〕記載の画像表示装置。
〔１４〕　前記の少なくとも１つの光学面は、前記偏心光学素子の第２面と第３面の間に配置されていることを特徴とする上記〔１１〕記載の画像表示装置。
〔１５〕　前記の少なくとも１つの光学面は、前記偏心光学素子の第４面と前記画像表示素子との間に配置されていることを特徴とする上記〔１１〕記載の画像表示装置。
〔１６〕　前記の少なくとも１つの光学面は、前記観察者視軸に対して偏心していることを特徴とする上記〔１１〕記載の画像表示装置。
〔１７〕　前記の少なくとも１つの光学面は、接合面であることを特徴とする上記〔１０から〔１６〕の何れか１項記載の画像表示装置。
〔１８〕　前記の少なくとも１つの光学面と前記偏心光学素子は空気レンズを形成することを特徴とする上記〔１７〕記載の画像表示装置。
〔１９〕　前記画像表示素子と前記接眼光学系を観察者頭部に対して位置決めする位置決め手段を有すること特徴とする上記〔１〕から〔１８〕の何れか１項記載の画像表示装置。
〔２０〕　前記画像表示素子と前記接眼光学系を前記観察者頭部に対して支持する支持手段を有し、前記観察者頭部に装着できるようになっていることを特徴とする上記〔１〕から〔１８〕の何れか１項記載の画像表示装置。
〔２１〕　前記画像表示装置の少なくとも２組を一定の間隔で支持する支持手段を有することを特徴とする上記〔１〕から〔２０〕の何れか１項記載の画像表示装置。
〔２２〕　前記画像表示装置における前記接眼光学系を結像光学系として用いること特徴とする上記〔１〕から〔１８〕の何れか１項記載の画像表示装置。
【図面の簡単な説明】
【０１４４】
【図１】本発明に基づいた画像表示装置の実施例１の光路図である。
【図２】本発明に基づいた画像表示装置の実施例２の光路図である。
【図３】本発明に基づいた画像表示装置の実施例３の光路図である。
【図４】本発明に基づいた画像表示装置の実施例４の光路図である。
【図５】本発明に基づいた画像表示装置の実施例５の光路図である。
【図６】本発明に基づいた画像表示装置の実施例６の光路図である。
【図７】本発明に基づいた画像表示装置の実施例７の光路図である。
【図８】本発明に基づいた画像表示装置の実施例８の光路図である。
【図９】本発明に基づいた画像表示装置の実施例９の光路図である。
【図１０】本発明に基づいた画像表示装置の実施例１０の光路図である。
【図１１】本発明に基づいた画像表示装置の実施例１１の光路図である。
【図１２】本発明に基づいた画像表示装置の実施例１２の光路図である。
【図１３】本発明に基づいた画像表示装置の実施例１３の光路図である。
【図１４】本発明に基づいた画像表示装置の実施例１４の光路図である。
【図１５】本発明に基づいた画像表示装置の実施例１５の光路図である。
【図１６】本発明に基づいた画像表示装置の実施例１６の光路図である。
【図１７】本発明に基づいた画像表示装置の実施例１７の光路図である。
【図１８】本発明に基づいた実施例１の横収差図の一部である。
【図１９】本発明に基づいた実施例１の横収差図の残りの一部である。
【図２０】本発明に基づいた実施例１の横収差図の残りの部分である。
【図２１】本発明に基づいた実施例５の横収差図の一部である。
【図２２】本発明に基づいた実施例５の横収差図の残りの一部である。
【図２３】本発明に基づいた実施例５の横収差図の残りの部分である。
【図２４】本発明に基づいた実施例１４の横収差図の一部である。
【図２５】本発明に基づいた実施例１４の横収差図の残りの一部である。
【図２６】本発明に基づいた実施例１４の横収差図の残りの部分である。
【図２７】本発明に基づいた頭部装着式画像表示装置の断面図と斜視図である。
【図２８】本発明による接眼光学系を結像光学系として利用した場合の構成図である。
【図２９】本発明による接眼光学系を結像光学系として利用した場合の光学系の構成図である。
【図３０】従来の１つの画像表示装置の光学系を示す図である。
【図３１】従来の別の画像表示装置の光学系を示す図である。
【図３２】従来のさらに別の画像表示装置の光学系を示す図である。
【図３３】従来のもう１つの画像表示装置の光学系を示す図である。
【図３４】従来のさらにもう１つの画像表示装置の光学系を示す図である。
【符号の説明】
【０１４５】
１…観察者瞳位置
２…観察者視軸
３…接眼光学系の第１面
４…接眼光学系の第２面
５…接眼光学系の第３面
６…接眼光学系の第４面
７…画像表示素子
９…偏心光学素子
１０…光学面
１１…負レンズ
１２…正レンズ
１３…接合レンズ
１４…裏面鏡
１５…頭部装着式画像表示装置（ＨＭＤ）
１６…液晶シヤッター
１７…ヘッドバンド
Ｏｂ…撮影光学系
Ｆｉ…ファインダー光学系
Ｃａ…コンパクトカメラ
ＧＦ…前側レンズ群
Ｄ　…明るさ絞り
ＤＳ…接眼光学系（本発明）
Ｌｔ…対物光学系
Ｐ　…ホロプリズム
Ｏｃ…接眼レンズ
【図１】
2004126613.tif 000003
【図２】
2004126613.tif 000004
【図３】
2004126613.tif 000005
【図４】
2004126613.tif 000006
【図５】
2004126613.tif 000007
【図６】
2004126613.tif 000008
【図７】
2004126613.tif 000009
【図８】
2004126613.tif 000010
【図９】
2004126613.tif 000011
【図１０】
2004126613.tif 000012
【図１１】
2004126613.tif 000013
【図１２】
2004126613.tif 000014
【図１３】
2004126613.tif 000015
【図１４】
2004126613.tif 000016
【図１５】
2004126613.tif 000017
【図１６】
2004126613.tif 000018
【図１７】
2004126613.tif 000019
【図１８】
2004126613.tif 000020
【図１９】
2004126613.tif 000021
【図２０】
2004126613.tif 000022
【図２１】
2004126613.tif 000023
【図２２】
2004126613.tif 000024
【図２３】
2004126613.tif 000025
【図２４】
2004126613.tif 000026
【図２５】
2004126613.tif 000027
【図２６】
2004126613.tif 000028
【図２７】
2004126613.tif 000029
【図２８】
2004126613.tif 000030
【図２９】
2004126613.tif 000031
【図３０】
2004126613.tif 000032
【図３１】
2004126613.tif 000033
【図３２】
2004126613.tif 000034
【図３３】
2004126613.tif 000035
【図３４】
2004126613.tif 000036